Podtech/llm-jp-corpus-v4-ja_patent huggingface dataset:
【手続補正書】
【提出日】令和3年9月7日(2021.9.7)
【手続補正１】
【補正対象書類名】特許請求の範囲
【補正対象項目名】全文
【補正方法】変更
【補正の内容】
【特許請求の範囲】
【請求項１】
電力系統に接続される受変電設備と、
前記受変電設備を介して前記電力系統から供給される電力を用いて、純水を電気分解して水素を製造するように構成された水素製造装置と、
前記電力系統からの要求を受領し、該要求に応じて前記電力系統から前記水素製造装置に供給される電力の量を調節するように前記受変電設備を制御可能な出力制御部と、
純水を前記水素製造装置に供給するための第１純水ラインと、
前記第１純水ラインを介して前記水素製造装置に供給される純水の量を調節可能な第１調節装置と、
前記電力系統から前記水素製造装置へ供給される電力の量に関する情報を示す電力量信号に基づいて、前記第１調節装置を制御するように構成された第１制御部と、
を備える、水素製造システム。
【請求項２】
前記電力系統から前記水素製造装置へ供給される電力の量を計測する電力計を更に備え、
前記電力量信号は、前記電力計の出力信号であり、
前記第１制御部は、前記電力計の出力信号に基づいて前記第１調節装置を制御するように構成された、請求項１に記載の水素製造システム。
【請求項３】
前記電力量信号は、前記水素製造装置に供給される電力の量を前記出力制御部が制御するための制御信号であり、
前記第１制御部は、前記出力制御部の前記制御信号に基づいて前記第１調節装置を制御するように構成された、請求項１に記載の水素製造システム。
【請求項４】
前記第１純水ラインは、ボイラ及び前記ボイラの蒸気で駆動する蒸気タービンを含む蒸気サイクルにおける、前記蒸気タービンの下流側且つ前記ボイラの上流側の位置に純水を供給するための第２純水ラインに接続する、請求項１乃至３の何れか１項に記載の水素製造システム。
【請求項５】
前記水素製造装置で製造した水素を前記ボイラに供給するための水素ラインを更に備える、請求項４に記載の水素製造システム。
【請求項６】
前記水素製造装置で製造された水素を貯蔵するための水素貯蔵装置を更に備え、
前記蒸気タービンによって駆動される発電機が、前記電力系統に接続された、請求項５に記載の水素製造システム。
【請求項７】
原水の不純物を除去して純水を製造するよう構成され、前記第２純水ラインに純水を供給する純水製造装置を更に備え、
前記第２純水ラインの前記第１純水ラインとの接続位置よりも上流側かつ前記純水製造装置の下流側に、前記純水製造装置で製造された純水を貯留する純水タンクを更に備える、請求項４乃至６の何れか１項に記載の水素製造システム。
【請求項８】
前記第２純水ラインを介して前記ボイラに供給される純水の量を調節可能な第２調節装置と、
前記第１純水ラインから前記水素製造装置に供給される純水の量に関する情報を示す第１信号に基づいて、前記第２調節装置を制御するように構成された第２制御部と、
を更に備える、請求項４乃至６の何れか１項に記載の水素製造システム。
【請求項９】
前記第２制御部は、前記水素製造装置への純水の供給が前記蒸気サイクルへの純水の供給よりも優先されるように、前記第２純水ラインから前記ボイラに供給される純水の量を制限する制限モードを実行可能に構成された、請求項８に記載の水素製造システム。
【請求項１０】
前記第２制御部は、前記制限モードにおいて、前記蒸気サイクルへ純水を供給する期間を、前記水素製造装置への純水の供給を停止している期間又は前記水素製造装置への純水の供給量が基準量以下である期間に制限するように構成された、請求項９に記載の水素製造システム。
【請求項１１】
前記水素製造システムは、
純水製造装置で製造された純水を貯留する純水タンクと、
前記純水タンクの残量を検知するための残量検知部と、
を更に備え、
前記第２制御部は、前記残量検知部によって検知した前記残量が基準値を下回っている場合に、前記制限モードを実行するように構成された、請求項９又は１０に記載の水素製造システム。
【請求項１２】
前記ボイラのブロー水を排出するためのブロー水ラインと、
前記ブロー水ラインから排出されるブロー水の量を調節するためのブロー水量調節装置と、
前記第１純水ラインから前記水素製造装置に供給される純水の量に関する情報を示す第２信号に基づいて、前記ブロー水量調節装置を制御するように構成されたブロー水制御部と、
を更に備える、請求項８乃至１１の何れか１項に記載の水素製造システム。
【請求項１３】
前記ブロー水ラインから排出される前記ブロー水の量を計測する水量計を更に備え、
前記第１信号は、前記水量計の出力信号であり、
前記第２制御部は、前記水量計の出力信号に基づいて前記第２調節装置を制御するように構成された、請求項１２に記載の水素製造システム。
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
細胞培養容器に、毛包上皮幹細胞を播種し、前記毛包上皮幹細胞が密集しつつも互いに離れた状態にある集積体を形成させる集積工程と、
前記毛包上皮幹細胞が密集しつつも互いに離れた状態にある集積体に細胞外マトリックス成分を加え、前記細胞外マトリックス成分と前記毛包上皮幹細胞の集積体との混合物を作製する混合工程と、
前記混合物に培地を加えて培養する培養工程と、
を備える毛包上皮幹細胞の培養方法。
【請求項２】
前記細胞外マトリックス成分がＩ型コラーゲンである請求項１に記載の毛包上皮幹細胞の培養方法。
【請求項３】
前記細胞培養容器が酸素透過性を有する材質からなる請求項１又は２に記載の毛包上皮幹細胞の培養方法。
【請求項４】
前記酸素透過性を有する材質がポリジメチルシロキサンである請求項３に記載の毛包上皮幹細胞の培養方法。
【請求項５】
請求項１乃至４のいずれかに記載の方法に使用される培養キットであって、
酸素透過性を有する材質からなる細胞培養容器と、
細胞外マトリックス成分と、
培地と、
を備える毛包上皮幹細胞の培養キット。
【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
第１位置および第２位置の間でロボットアームを動作させる軌道を生成する情報処理方法において、
前記第１位置と前記第２位置との間に複数の中間軌道を生成する生成工程と、
前記生成工程で生成された前記中間軌道において評価値を算出する評価工程と、
前記評価値に基づき前記中間軌道のうち所定の中間軌道を選択し、前記所定の中間軌道に基づいて前記軌道の更新を行う更新工程と、を有している、
ことを特徴とする情報処理方法。
【請求項２】
請求項１に記載の情報処理方法において、
前記生成工程、評価工程、及び更新工程を繰り返し実行する、
ことを特徴とする情報処理方法。
【請求項３】
請求項１または２に記載の情報処理方法において、
前記生成工程では、前記ロボットアームの可動範囲に基づき複数の前記中間軌道を生成する、
ことを特徴とする情報処理方法。
【請求項４】
請求項１から３のいずれか１項に記載の情報処理方法において、
前記生成工程では、更新対象となる前記軌道に設定されている中間軌道に異なる変位を与えることで複数の前記中間軌道を生成する、
ことを特徴とする情報処理方法。
【請求項５】
請求項１から４のいずれか１項に記載の情報処理方法において、
前記生成工程では、前記ロボットアームが、前記ロボットアームの動作する空間に配置される障害物を回避できるように複数の前記中間軌道を生成する、
ことを特徴とする情報処理方法。
【請求項６】
請求項１から５のいずれか１項に記載の情報処理方法において、
前記生成工程では、前記中間軌道に含まれる中間位置にそれぞれ相関するパラメータを作用させ、前記中間軌道における中間経路を平滑化する、
ことを特徴とする情報処理方法。
【請求項７】
請求項１から６のいずれか１項に記載の情報処理方法において、
前記生成工程では、前記ロボットアームを動作させる動作時間が小さくなる複数の前記中間軌道を生成する、
ことを特徴とする情報処理方法。
【請求項８】
請求項１から７のいずれか１項に記載の情報処理方法において、
前記評価工程では、前記中間軌道における、前記ロボットアームと、前記ロボットアームの動作する空間に配置される障害物と、の間の干渉量に基づき前記評価値を算出する、
ことを特徴とする情報処理方法。
【請求項９】
請求項８に記載の情報処理方法において、
前記干渉量は、前記ロボットアームと、前記障害物と、が、同一の空間を占める干渉時間、または干渉距離である、
ことを特徴とする情報処理方法。
【請求項１０】
請求項１から９のいずれか１項に記載の情報処理方法において、
前記評価工程では、前記中間軌道で前記ロボットアームを動作させた場合の動作時間に基づき前記評価値を算出する、
ことを特徴とする情報処理方法。
【請求項１１】
請求項１から１０のいずれか１項に記載の情報処理方法において、
前記生成工程では、前記ロボットアームに関する関節トルク制約、関節角速度制約、関節角加速度制約、ジャーク制約、手先速度制約、ないし手先加速度制約のうちいずれか１つまたは複数の制約を満たす前記中間軌道を生成する、
ことを特徴する情報処理方法。
【請求項１２】
請求項１から１１のいずれか１項に記載の情報処理方法において、
前記更新工程において、前記評価値が所定条件を満たすことを条件として、前記軌道の更新を停止する、
ことを特徴とする情報処理方法。
【請求項１３】
請求項２に記載の情報処理方法において、
前記軌道の更新の繰り返し実行回数が所定回数に達したことに基づいて前記軌道の更新を停止する、
ことを特徴とする情報処理方法。
【請求項１４】
請求項１から１３のいずれか１項に記載の情報処理方法の各工程をコンピュータに実行させる制御プログラム。
【請求項１５】
請求項１４に記載の制御プログラムを格納したコンピュータ読み取り可能な記録媒体。
【請求項１６】
第１位置および第２位置の間でロボットアームを動作させる軌道を生成する情報処理装置において、
前記第１位置と前記第２位置との間に複数の中間軌道を生成し、
生成された前記中間軌道において評価値を算出し、
前記評価値に基づき前記中間軌道のうち所定の中間軌道を選択し、前記所定の中間軌道に基づいて前記軌道の更新を行う、
ことを特徴とする情報処理装置。
【請求項１７】
請求項１から１３のいずれか１項に記載の情報処理方法を用いて生成された軌道で前記ロボットアームを動作させてワークの組み立てを行い、物品を製造する生産システム。
【請求項１８】
請求項１から１３のいずれか１項に記載の情報処理方法を用いて生成された軌道で前記ロボットアームを動作させてワークの組み立てを行い、物品を製造する物品の製造方法。
【手続補正２】
【補正対象書類名】明細書
【補正対象項目名】発明の名称
【補正方法】変更
【補正の内容】
【発明の名称】情報処理方法及び情報処理装置
【手続補正３】
【補正対象書類名】明細書
【補正対象項目名】０００１
【補正方法】変更
【補正の内容】
【０００１】
本発明はロボットアームの軌道を生成する情報処理方法及び情報処理装置に関するものである。
【手続補正４】
【補正対象書類名】明細書
【補正対象項目名】００１３
【補正方法】変更
【補正の内容】
【００１３】
本発明の一態様は、第１位置および第２位置の間でロボットアームを動作させる軌道を生成する情報処理方法において、前記第１位置と前記第２位置との間に複数の中間軌道を生成する生成工程と、前記生成工程で生成された前記中間軌道において評価値を算出する評価工程と、前記評価値に基づき前記中間軌道のうち所定の中間軌道を選択し、前記所定の中間軌道に基づいて前記軌道の更新を行う更新工程と、を有している、ことを特徴とする情報処理方法である。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
対象の微生物叢多様性を増加させる及び／または微生物叢の安定性を誘導する方法における使用のための、Ｂｌａｕｔｉａ属の細菌株を含む組成物。
【請求項２】
対象において疾患または障害を治療または予防する方法における使用のための請求項１に記載の組成物であって、前記疾患または障害が、健常な対象の微生物叢多様性と比較して低減した微生物叢多様性のレベルに関連しており、前記治療または予防が、前記対象において前記微生物叢多様性を増加させることを含む、前記組成物。
【請求項３】
前記対象が、健常な対象と比較して低減した微生物叢多様性を有する、請求項２に記載の組成物。
【請求項４】
前記対象が、その微生物叢において９９未満の異なる細菌種及び／または１９０未満の異なる細菌株を有する、請求項３に記載の組成物。
【請求項５】
対象において疾患または障害を治療または予防する方法における使用のための請求項１に記載の組成物であって、前記疾患または障害が、健常な対象と比較して低減した微生物叢の安定性に関連しており、前記治療または予防が、前記対象において前記微生物叢の安定性を誘導することを含む、前記組成物。
【請求項６】
前記対象が、健常な対象と比較して、その微生物叢の安定性が低減している、請求項２〜５のいずれかに記載の組成物。
【請求項７】
ＩＢＳ、ＩＢＤ、肥満、２型糖尿病、１または複数の感染性疾患、１または複数のアレルギー性疾患、１または複数の自己免疫疾患または１または複数の代謝疾患／障害を治療または予防する方法における使用のための、請求項１〜６のいずれかに記載の組成物。
【請求項８】
前記微生物叢多様性の増加及び／または微生物叢の安定性の誘導が、
ａ）非酢酸生成細菌；または
ｂ）酢酸生成細菌及び非酢酸生成細菌の両方
のための、請求項１〜７のいずれかに記載の組成物。
【請求項９】
ＩＢＳ、ＩＢＤ、肥満、２型糖尿病、１または複数の感染性疾患、１または複数のアレルギー性疾患、１または複数の自己免疫疾患または１または複数の代謝疾患／障害を治療または予防する方法における使用のための、Ｂｌａｕｔｉａ属の細菌株を含む組成物。
【請求項１０】
ａ）ＩＢＳ；
ｂ）ＩＢＤ；
ｃ）肥満;
ｄ）２型糖尿病; 
ｅ）１または複数の感染性疾患、例えば、ウイルス、細菌または真菌性疾患;
ｆ）１または複数のアレルギー性疾患、例えば、ぜんそく;
ｇ）１または複数の自己免疫疾患、例えば、関節リウマチまたは多発性硬化症;あるいは、
ｈ）１または複数の代謝疾患／障害、例えば、糖尿病または肥満
の治療または予防における使用のための、請求項７または８に記載の組成物。
【請求項１１】
前記対象が
ａ）虚弱な高齢対象；または、
ｂ）帝王切開によって出産された乳児
である、請求項１〜１０のいずれかに記載の組成物。
【請求項１２】
ａ）前記対象の腸；及び／または
ｂ）前記対象の遠位腸
において、前記微生物叢多様性が増加する、及び／または微生物叢の安定性が誘導される、請求項１〜１１のいずれかに記載の組成物。
【請求項１３】
前記細菌株がＢｌａｕｔｉａ  ｈｙｄｒｏｇｅｎｏｔｒｏｐｈｉｃａの細菌株である、請求項１〜１２のいずれかに記載の組成物。
【請求項１４】
ＩＢＳと診断された対象において微生物叢多様性を増加させる及び／または微生物叢の安定性を誘導する方法における使用のための、Ｂｌａｕｔｉａ  ｈｙｄｒｏｇｅｎｏｔｒｏｐｈｉｃａ種の細菌株を含む、請求項１に記載の組成物。
【請求項１５】
前記細菌株が、Ｂｌａｕｔｉａ  ｈｙｄｒｏｇｅｎｏｔｒｏｐｈｉｃａの細菌株の１６ｓ  ｒＲＮＡ配列と少なくとも９７％、９８％、９９％、９９．５％または９９．９％同一の１６ｓ  ｒＲＮＡ配列を有する、請求項１〜１２のいずれかに記載の組成物。
【請求項１６】
前記細菌株が、受託番号ＤＳＭ１０５０７で、また、受託番号ＤＳＭ１４２９４でも寄託されているＢｌａｕｔｉａ  ｈｙｄｒｏｇｅｎｏｔｒｏｐｈｉｃａ細菌である、請求項１〜１４のいずれかに記載の組成物。
【請求項１７】
経口投与用である、請求項１〜１６のいずれかに記載の組成物。
【請求項１８】
１または複数の薬学的に許容可能な賦形剤または担体を含む、請求項１〜１７のいずれかに記載の組成物。
【請求項１９】
前記細菌株が、
ａ）凍結乾燥されている；及び／または、
ｂ）生存可能である、
請求項１〜１８のいずれかに記載の組成物。
【請求項２０】
前記細菌株が、腸に部分的または全体的に定着することが可能である、請求項１〜１９のいずれかに記載の組成物。
【請求項２１】
ａ）Ｂｌａｕｔｉａの単一株を含む；
ｂ）Ｂｌａｕｔｉａを含み、かつ、任意の他の属からの細菌を含まないか、または、かかる他の細菌を僅少な量でのみ含む；あるいは、
ｃ）Ｂ．ｈｙｄｒｏｇｅｎｏｔｒｏｐｈｉｃａを含み、かつ、任意の他の種からの細菌を含まないか、または、かかる他の細菌を僅少な量でのみ含む、
請求項１〜２０のいずれかに記載の組成物。
【請求項２２】
Ｂｌａｕｔｉａを微生物共同体の一部として含む、請求項１〜１９のいずれかに記載の組成物。
【請求項２３】
請求項１〜２２のいずれかに記載の使用のための、請求項１〜２２のいずれかに記載の組成物を含む食品。
【請求項２４】
請求項１〜２２のいずれかに記載の使用のための、請求項１〜２２のいずれかに記載の組成物を含むワクチン組成物。
【請求項２５】
対象における前記腸内微生物叢の多様性を増加もしくは維持する、及び／または対象において前記腸内微生物叢の安定性を誘導する方法であって、Ｂｌａｕｔｉａ属の細菌株を含む組成物をそれを必要とする対象に投与することを含む、前記方法。
【請求項２６】
前記ＢｌａｕｔｉａがＢ．ｈｙｄｒｏｇｅｎｏｔｒｏｐｈｉｃａである、請求項２５に記載の方法。
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
行方向、列方向および段方向に沿って設けられる荷を保管するための複数の保管部を有する棚部と、
第１台車を載置可能な載置部を有し、当該載置部を、前記棚部の出入口部に沿う前記行方向および前記段方向に移動させる第２台車と、
を備え、
前記第１台車は、前記列方向に移動して前記出入口部から前記棚部に進入可能であり、
前記載置部は、第１部材を有し、
前記棚部は、前記載置部が前記保管部に対して前記段方向において位置決めされるように、前記第１部材と前記段方向で当接する第２部材を有することを特徴とする自動倉庫システム。
【請求項２】
前記第１、第２部材は、前記載置部が前記保管部に対して前記行方向に位置決めされるように設けられていることを特徴とする請求項１に記載の自動倉庫システム。
【請求項３】
前記第２部材は、前記段方向に対して斜めに交差する、下側ほど互いに近づく２つの斜面を有することを特徴とする請求項１または２に記載の自動倉庫システム。
【請求項４】
前記第１部材が前記第２部材の前記２つの斜面の両方と当接するとき、前記載置部が前記保管部対して前記段方向および前記行方向に位置決めされる請求項３に記載の自動倉庫システム。
【請求項５】
前記棚部は、前記複数の保管部のそれぞれに対応する複数の軌条を有し、
前記載置部は、前記軌条とは別の軌条を有し、
前記第１台車は、前記軌条および前記別の軌条を走行するための車輪を有し、
前記第１部材および前記第２部材は、前記第１部材と前記第２部材とが前記段方向で当接したとき、前記軌条の走行面と前記別の軌条の走行面との間に許容高さを超える段差が生じないように設けられていることを特徴とする請求項１から４のいずれかに記載の自動倉庫システム。
【請求項６】
前記第１部材は、前記保管部に進入して前記第２部材と当接可能な第１位置と、前記棚部を避けた第２位置との間を移動可能に構成されていることを特徴とする請求項１から５のいずれかに記載の自動倉庫システム。
【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
枠壁部を有し、内部が中空とされた柱状の外郭ケースと、
前記外郭ケースの内部に配設され、前記枠壁部に開口した吐水口を有すると共に、給水された液体が前記吐水口に向けて内部を流れる給水管と、
前記吐水口に装着されると共に、前記吐水口を開閉する給水栓と、
前記吐水口よりも液体の流通方向の上流側に配置され、前記給水管に給水された液体に外気を含ませて泡沫水を生成する泡沫水生成部と、を備え、
前記泡沫水生成部は、
前記給水管に給水された液体を通過させる通水部と、
前記通水部内に外気を導く通気部と、
前記通気部からの外気を、前記通水部を通過する液体に対して混合させる気液混合部と、を備える、水栓柱。
【請求項２】
請求項１に記載の水栓柱において、
前記通気部は、
前記枠壁部と前記通水部との間に配設され、前記通水部内と外部とを連通する通気管と、
前記通気管に設けられ、前記通気管を通じた外部から前記通水部側に向かう外気の移動を許容し、且つ前記通気管を通じた前記通水部側から外部に向かう液体の移動を規制する規制部と、を備えている、水栓柱。
【請求項３】
請求項１又は２に記載の水栓柱において、
前記通水部は、前記給水管に組み合わされた外筒部、及び前記外筒部の内側に組み合わされ、その内側を通じて前記給水管に給水された液体を通過させる内筒部を有し、
前記通気部は、前記外郭ケースの外部からの外気を、前記外筒部内に導き、
前記気液混合部は、前記通気部からの外気を、前記外筒部の内側で、且つ前記内筒部よりも液体の流通方向の下流側に導くと共に、前記内筒部を通過した液体に対して混合させ、
前記内筒部は、その外径が前記外筒部の内径よりも小さい小径筒を備え、
前記気液混合部は、
前記小径筒と前記外筒部との間に前記給水管の中心軸線回りに環状に形成されると共に、前記通気部からの外気が流入する旋回路と、
前記小径筒と前記外筒部との間に形成され、前記旋回路内の外気を、前記内筒部よりも液体の流通方向の下流側に導く案内路と、を備える、水栓柱。
【手続補正２】
【補正対象書類名】明細書
【補正対象項目名】０００９
【補正方法】変更
【補正の内容】
【０００９】
（１）本発明に係る水栓柱は、枠壁部を有し、内部が中空とされた柱状の外郭ケースと、前記外郭ケースの内部に配設され、前記枠壁部に開口した吐水口を有すると共に、給水された液体が前記吐水口に向けて内部を流れる給水管と、前記吐水口に装着されると共に、前記吐水口を開閉する給水栓と、前記吐水口よりも液体の流通方向の上流側に配置され、前記給水管に給水された液体に外気を含ませて泡沫水を生成する泡沫水生成部と、を備え、前記泡沫水生成部は、前記給水管に給水された液体を通過させる通水部と、前記通水部内に外気を導く通気部と、前記通気部からの外気を、前記通水部を通過する液体に対して混合させる気液混合部と、を備える。
【手続補正３】
【補正対象書類名】明細書
【補正対象項目名】００１０
【補正方法】変更
【補正の内容】
【００１０】
本発明に係る水栓柱によれば、蛇口等の給水栓を開操作することで、吐水口を通じて給水栓から液体を吐水することができる。液体の吐水時、外郭ケースの内部には、吐水口よりも上流側に泡沫水生成部が配設されているので、給水管に給水された液体に外気を含ませることで泡沫化（気泡化）させた泡沫水を生成することができる。これにより、泡沫水として、給水栓から液体を外部に吐水することができる。
具体的には、液体の吐水時、給水管に給水された液体は、吐水口よりも上流側において通水部を通過した後、吐水口に向かって流れる。このとき、気液混合部が、通気部を通じて導入された外気を液体に対して混合させる。これにより、気泡を含んで泡沫化した泡沫水を生成することができる（すなわち液体を泡沫水に変換することができる）。そして、気液混合部によって生成された泡沫水は、通水部よりも下流側に位置する吐水口に向かって給水管内を流れるので、上述したように泡沫水として給水栓から吐水することができる。
【手続補正４】
【補正対象書類名】明細書
【補正対象項目名】００１２
【補正方法】変更
【補正の内容】
【００１２】
（２）前記通気部は、前記枠壁部と前記通水部との間に配設され、前記通水部内と外部とを連通する通気管と、前記通気管に設けられ、前記通気管を通じた外部から前記通水部側に向かう外気の移動を許容し、且つ前記通気管を通じた前記通水部側から外部に向かう液体の移動を規制する規制部と、を備えても良い。
【手続補正５】
【補正対象書類名】明細書
【補正対象項目名】００１４
【補正方法】変更
【補正の内容】
【００１４】
（３）前記通水部は、前記給水管に組み合わされた外筒部、及び前記外筒部の内側に組み合わされ、その内側を通じて前記給水管に給水された液体を通過させる内筒部を有し、前記通気部は、前記外郭ケースの外部からの外気を、前記外筒部内に導き、前記気液混合部は、前記通気部からの外気を、前記外筒部の内側で、且つ前記内筒部よりも液体の流通方向の下流側に導くと共に、前記内筒部を通過した液体に対して混合させ、前記内筒部は、その外径が前記外筒部の内径よりも小さい小径筒を備え、前記気液混合部は、前記小径筒と前記外筒部との間に前記給水管の中心軸線回りに環状に形成されると共に、前記通気部からの外気が流入する旋回路と、前記小径筒と前記外筒部との間に形成され、前記旋回路内の外気を、前記内筒部よりも液体の流通方向の下流側に導く案内路と、を備えても良い。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
複数のユーザが共有する仮想空間を提供するためにコンピュータで実行されるプログラムであって、前記プログラムは前記コンピュータに、
予め定められた複数のパノラマ画像に含まれる一のパノラマ画像を前記仮想空間に展開するステップと、
前記仮想空間に第１のユーザに対応する第１のアバターオブジェクトと、第２のユーザに対応する第２のアバターオブジェクトとを配置するステップと、
前記第１のユーザから、前記仮想空間に展開されているパノラマ画像を他のパノラマ画像に変更するためのトリガの入力を受け付けるステップと、
前記トリガの入力を受け付けた後に、前記第１のユーザから検索キーの入力を受け付けるステップと、
前記複数のパノラマ画像の中から、前記検索キーにより検索された一以上のパノラマ画像を特定するための情報を含む表示用オブジェクトを、前記複数のユーザにより共有される前記仮想空間に提示するステップと、
前記表示用オブジェクトに含まれる前記検索された一以上のパノラマ画像を特定するための情報に対し、前記第１のユーザが動かす前記第１のアバターオブジェクトの動き、および、前記第２のユーザが動かす前記第２のアバターオブジェクトの動きに応答して、前記一以上のパノラマ画像の中から一のパノラマ画像を選択する入力を受け付けるステップと、
前記選択された一のパノラマ画像を前記仮想空間に展開するステップとを実行させる、プログラム。
【請求項２】
前記プログラムは前記コンピュータに、前記入力された検索キーと、前記選択された一のパノラマ画像の識別情報とを、前記コンピュータと通信可能な情報処理端末に送信するステップとを実行させる、請求項１に記載のプログラム。
【請求項３】
前記検索キーは、前記ユーザが前記仮想空間で描いた線図を含む、請求項１または２に記載のプログラム。
【請求項４】
前記プログラムは前記コンピュータに、前記ユーザの手の動きを検出するステップをさらに実行させ、
前記ユーザから検索キーの入力を受け付けるステップは、前記ユーザの手の動きに基づく線図を前記検索キーとして受け付けることを含む、請求項３に記載のプログラム。
【請求項５】
前記検索キーの入力を受け付けるステップは、前記仮想空間に配置された予め定められたオブジェクトに対して前記ユーザが描いた線図を前記検索キーとして受け付けることを含む、請求項３または４に記載のプログラム。
【請求項６】
前記検索キーの入力受け付けるステップは、
前記仮想空間における予め定められた空間内に前記ユーザが形成した立体オブジェクトの入力を受け付けることと、
前記立体オブジェクトを２次元化して得られる線図を前記検索キーとして受け付けることとを含む、請求項３または４に記載のプログラム。
【請求項７】
前記プログラムは前記コンピュータに、前記ユーザの表情を表すデータを検出するステップをさらに実行させ、
前記検索キーは、前記ユーザの表情を表すデータを含む、請求項１または２に記載のプログラム。
【請求項８】
前記検索キーの入力を受け付けるステップは、
前記ユーザの音声の入力を受け付けることと、
前記ユーザの音声から抽出された文字列を前記検索キーとして受け付けることとを含む、請求項１または２に記載のプログラム。
【請求項９】
前記プログラムは前記コンピュータに、スピーカオブジェクトまたはマイクオブジェクトを前記仮想空間に配置するステップをさらに実行させ、
前記トリガの入力を受け付けるステップは、前記スピーカオブジェクトまたは前記マイクオブジェクトに対する前記ユーザの予め定められた動作を前記トリガとして受け付けることを含む、請求項８に記載のプログラム。
【請求項１０】
前記一以上のパノラマ画像を前記仮想空間に提示するステップは、前記検索キーまたは当該検索キーに基づく情報と、前記一以上のパノラマ画像とを前記仮想空間に提示することを含む、請求項１〜９のいずれか１項に記載のプログラム。
【請求項１１】
前記検索キーの入力を受け付けるステップは、前記他のコンピュータのユーザによって入力された検索キーにより検索された一以上のパノラマ画像に対する検索キーの入力を受け付けることを含む、請求項１０に記載のプログラム。
【請求項１２】
請求項１〜１１のいずれか１項に記載のプログラムを格納したメモリと、
前記プログラムを実行するためのプロセッサとを備える、情報処理装置。
【請求項１３】
複数のユーザが共有する仮想空間を提供するためにコンピュータで実行される方法であって、
予め定められた複数のパノラマ画像に含まれる一のパノラマ画像を前記仮想空間に展開するステップと、
前記仮想空間に第１のユーザに対応する第１のアバターオブジェクトと、第２のユーザに対応する第２のアバターオブジェクトとを配置するステップと、
前記第１のユーザから、前記仮想空間に展開されているパノラマ画像を他のパノラマ画像に変更するためのトリガの入力を受け付けるステップと、
前記トリガの入力を受け付けた後に、前記第１のユーザから検索キーの入力を受け付けるステップと、
前記複数のパノラマ画像の中から、前記検索キーにより検索された一以上のパノラマ画像を特定するための情報を含む表示用オブジェクトを、前記複数のユーザにより共有される前記仮想空間に提示するステップと、
前記表示用オブジェクトに含まれる前記検索された一以上のパノラマ画像を特定するための情報に対し、前記第１のユーザが動かす前記第１のアバターオブジェクトの動き、および、前記第２のユーザが動かす前記第２のアバターオブジェクトの動きに応答して、前記一以上のパノラマ画像の中から一のパノラマ画像を選択する入力を受け付けるステップと、
前記選択された一のパノラマ画像を前記仮想空間に展開するステップと、
前記入力された検索キーと、前記選択された一のパノラマ画像の識別情報とを、前記コンピュータと通信可能な情報処理端末に送信するステップとを備える、方法。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
コンピュータを、
電子メールを受け付ける受付手段と、
前記受付手段において、所定の条件を満たす宛先が設定された電子メールを所定時間内に所定数以上受け付けた場合に、当該電子メールに対して、所定のアクションを実行する実行手段
として機能させるためのプログラム。
【請求項２】
前記実行手段を、前記電子メールの中継を保留するアクションを実行する手段として機能させるための請求項１に記載のプログラム。
【請求項３】
前記コンピュータを、さらに、
前記所定の条件を満たす宛先を記憶する記憶手段として機能させるための請求項１または２に記載のプログラム。
【請求項４】
前記所定の条件を満たす宛先とは、公開された電子メールアドレスであることを特徴とする請求項１乃至３の何れか１項に記載のプログラム。
【請求項５】
電子メールを受け付ける受付手段と、
前記受付手段において、所定の条件を満たす宛先が設定された電子メールを所定時間内に所定数以上受け付けた場合に、当該電子メールに対して、所定のアクションを実行する実行手段と、
を備えることを特徴とする情報処理装置。
【請求項６】
情報処理装置の受付手段が、電子メールを受け付ける受付ステップと、
前記情報処理装置の実行手段が、前記受付ステップにおいて、所定の条件を満たす宛先が設定された電子メールを所定時間内に所定数以上受け付けた場合に、当該電子メールに対して、所定のアクションを実行する実行ステップと、
を備えることを特徴とする情報処理方法。
【手続補正２】
【補正対象書類名】明細書
【補正対象項目名】００１１
【補正方法】変更
【補正の内容】
【００１１】
そこで、本発明では、悪意ある電子メールの可能性がある電子メールに対して、行うべき処理を円滑に実行することが可能な情報処理装置、情報処理システム、制御方法、及びプログラムを提供することを目的とする。
【手続補正３】
【補正対象書類名】明細書
【補正対象項目名】００１２
【補正方法】変更
【補正の内容】
【００１２】
上記課題を解決するための本発明は、コンピュータを、電子メールを受け付ける受付手段と、前記受付手段において、所定の条件を満たす宛先が設定された電子メールを所定時間内に所定数以上受け付けた場合に、当該電子メールに対して、所定のアクションを実行する実行手段として機能させるためのプログラムであることを特徴とする。
【手続補正４】
【補正対象書類名】明細書
【補正対象項目名】００１３
【補正方法】変更
【補正の内容】
【００１３】
本発明によれば、悪意ある電子メールの可能性がある電子メールに対して、行うべき処理を円滑に実行することができる、という効果を奏する。
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
証憑の画像データ内から仕訳要素に対応する部分を含む領域を指定することを学習した画像解析ＡＩにより証憑の画像データから少なくとも金額を含む仕訳要素に対応する部分を特定する画像解析部と、
前記画像解析部により特定された部分の少なくとも一部に対応する仕訳要素をテキストとして出力するための仕訳要素出力ＡＩによって、前記画像解析部により特定された部分の少なくとも一部に対応する仕訳要素をテキストとして出力する仕訳要素出力部と、
前記仕訳要素出力部から出力されたテキストの仕訳要素としての妥当性を判定し、当該妥当性に応じた２以上の態様で当該テキストに関連する表示情報を出力する仕訳要素判定部と、
を備え、
前記仕訳要素判定部は、前記仕訳要素出力ＡＩが出力した仕訳要素の文字認識の信頼度と、前記画像解析ＡＩが出力した画像認識の信頼度とに基づいて、前記仕訳要素出力部から出力されたテキストの仕訳要素としての妥当性を判定する仕訳要素解析装置。
【請求項２】
前記仕訳要素判定部は、仕訳要素として妥当でないと判定した仕訳要素のテキストに対して、他の仕訳要素に基づいて、より妥当なテキストに補正可能である請求項１に記載の仕訳要素解析装置。
【請求項３】
前記仕訳要素判定部は、前記仕訳要素として妥当でないと判定した仕訳要素のテキストの補正に用いる前記他の仕訳要素は、仕訳要素として妥当である判定がなされた仕訳要素を用いる、請求項２に記載の仕訳要素解析装置。
【請求項４】
請求項１から請求項３のいずれか一項に記載の仕訳要素解析装置と、
前記仕訳要素のテキストを確定する仕訳要素確定部と、
前記仕訳要素確定部により確定された仕訳要素に基づく勘定科目を出力する仕訳部と、を備える会計処理装置。
【請求項５】
コンピュータが、
証憑の画像データ内から仕訳要素に対応する部分を含む領域を指定することを学習した画像解析ＡＩにより証憑の画像データから少なくとも金額を含む仕訳要素に対応する部分を特定する画像解析工程と、
前記画像解析工程により特定された部分の少なくとも一部に対応する仕訳要素をテキストとして出力するための仕訳要素出力ＡＩによって、前記画像解析工程により特定された部分の少なくとも一部に対応する仕訳要素をテキストとして出力する仕訳要素出力工程と、
前記仕訳要素出力工程にて出力されたテキストの仕訳要素としての妥当性を判定し、該妥当性に応じた２以上の態様で当該テキストに関連する表示情報を出力する仕訳要素判定工程と、を実行し、
前記仕訳要素判定工程では、前記仕訳要素出力ＡＩが出力した仕訳要素の文字認識の信頼度と、前記画像解析ＡＩが出力した画像認識の信頼度とに基づいて、前記仕訳要素出力工程にて出力されたテキストの仕訳要素としての妥当性を判定する仕訳要素解析方法。
【請求項６】
コンピュータに、請求項５に記載の仕訳要素解析方法を実行させるための仕訳要素解析プログラム。
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
入力画像から人物を抽出する抽出手段と、
前記抽出された人物のうち、前記入力画像に含まれる第１の人物が抽出された第１の領域を、時間的に前記入力画像より前に入力された１以上の画像において前記第１の人物が抽出された第２の領域と関連づけ、前記第１の領域と前記第２の領域とのそれぞれから得られる特徴量の時間的な変化の度合いに基づき、前記第１の人物を検出対象に含めるか否かを決定する決定手段と、
を備えることを特徴とする情報処理装置。
【請求項２】
前記決定手段が前記第１の人物を前記検出対象に含めると決定した場合に、前記第１の人物を含めた前記検出対象の情報を出力する出力手段を更に備えることを特徴とする請求項１に記載の情報処理装置。
【請求項３】
前記決定手段は、
前記特徴量の時間的な変化の度合いが閾値以上の場合に、前記第１の人物を前記検出対象に含めると決定し、
前記特徴量の時間的な変化の度合いが前記閾値よりも小さい場合に、前記第１の人物の前記検出対象に含めないと決定する、
ことを特徴とする請求項１または２に記載の情報処理装置。
【請求項４】
前記閾値は、前記入力画像に設定される範囲ごとに定められることを特徴とする請求項３に記載の情報処理装置。
【請求項５】
前記入力画像に設定される範囲のうち、前記検出対象に含めるべきでない人物が常駐する可能性が高い範囲について設定される閾値は、前記検出対象に含めるべきでない人物が常駐する可能性が高くない範囲について設定される閾値よりも大きい値に定められることを特徴とする請求項４に記載の情報処理装置。
【請求項６】
前記入力画像に設定される範囲のうち、前記検出対象に含めるべき人物が停止して撮像される可能性が高い範囲について設定される閾値は、前記人物が停止して撮像される可能性が高くない範囲について設定される閾値よりも小さい値に定められることを特徴とする請求項４に記載の情報処理装置。
【請求項７】
前記決定手段は更に、前記第１の領域と前記第２の領域とが互いに関連づけられた複数の画像の間において、所定の特徴量が所定の回数以上得られた場合に、前記第１の人物を前記検出対象に含めないと決定することを特徴とする請求項１から６のいずれか１項に記載の情報処理装置。
【請求項８】
前記所定の特徴量は、前記複数の画像について所定回数以上の頻度で得られる特徴量、または、前記複数の画像について得られた特徴量のうちの最大値を有する特徴量であることを特徴とする請求項７に記載の情報処理装置。
【請求項９】
前記決定手段は更に、前記第１の領域と前記第２の領域とが互いに関連づけられた複数の画像の間において、時間的な変化の度合いに所定レベルを超える変動が発生する場合に、前記第１の人物を前記検出対象に含めないと決定することを特徴とする請求項１から８のいずれか１項に記載の情報処理装置。
【請求項１０】
前記決定手段は更に、前記第１の領域と前記第２の領域とが互いに関連づけられた複数の画像のうちの対応する画像における前記第１の領域または前記第２の領域のそれぞれの位置が所定範囲に収まるか否かに更に基づき、
前記位置が所定の範囲に収まらない場合に前記第１の人物を前記検出対象に含めると決定し、
前記位置が所定の範囲に収まる場合に、前記第１の人物を前記検出対象に含めないと決定する
ことを特徴とする請求項１から９のいずれか１項に記載の情報処理装置。
【請求項１１】
前記特徴量は、予め用意されたテンプレートと前記第１の領域との比較とに基づく一致率、及び、前記テンプレートと前記第２の領域との比較に基づく一致率とを含むことを特徴とする請求項１から１０のいずれか１項に記載の情報処理装置。
【請求項１２】
前記第１の領域及び前記第２の領域は、人物の顔を含む領域であって、
前記テンプレートは、前記人物の顔の所定の向きに対応し、
前記一致率は、前記第１の領域及び前記第２の領域に含まれる顔の向きに応じて変化する
ことを特徴とする請求項１１に記載の情報処理装置。
【請求項１３】
前記第１の領域及び前記第２の領域は、人物の顔、頭部、又は、身体を含む領域であることを特徴とする請求項１から１１のいずれか１項に記載の情報処理装置。
【請求項１４】
前記入力画像は、撮像装置から入力され、
前記抽出手段は、前記撮像装置によって撮像された前記入力画像から抽出した前記第１の人物に対応する前記第１の領域の情報を受信することにより前記第１の人物を抽出することを特徴とする請求項１から１３のいずれか１項に記載の情報処理装置。
【請求項１５】
請求項１から１４のいずれか１項に記載の情報処理装置と、
所定の空間を撮像して画像を生成し、前記情報処理装置に入力する撮像装置と、
前記情報処理装置の出力手段が出力した情報を受信して表示する表示装置と
を備えるシステム。
【請求項１６】
情報処理装置の制御方法であって、
入力画像から人物を抽出する抽出工程と、
前記抽出された人物のうち、前記入力画像に含まれる第１の人物が抽出された第１の領域を、時間的に前記入力画像より前に入力された１以上の画像において前記第１の人物が抽出された第２の領域と関連づけ、前記第１の領域と前記第２の領域とのそれぞれから得られる特徴量の時間的な変化の度合いに基づき、前記第１の人物を検出対象に含めるか否かを決定する決定工程と、
を含むことを特徴とする情報処理装置の制御方法。
【請求項１７】
コンピュータを請求項１から１４のいずれか１項に記載の情報処理装置の各手段として機能させるためのプログラム。
【手続補正２】
【補正対象書類名】明細書
【補正対象項目名】０００９
【補正方法】変更
【補正の内容】
【０００９】
上記の課題を解決する本発明は、情報処理装置であって、
入力画像から人物を抽出する抽出手段と、前記抽出された人物のうち、前記入力画像に含まれる第１の人物が抽出された第１の領域を、時間的に前記入力画像より前に入力された１以上の画像において前記第１の人物が抽出された第２の領域と関連づけ、前記第１の領域と前記第２の領域とのそれぞれから得られる特徴量の時間的な変化の度合いに基づき、前記第１の人物を検出対象に含めるか否かを決定する決定手段と、
を備えることを特徴とする。
【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
パーキングメータと電気自動車の充電機能を有する一体化装置を備えたガソリンスタンドに設置された駐車場充電システムであって、
駐車中に電気自動車に充電を行う処理と、
前記パーキングメータによって一定時間以上駐車した顧客に対して駐車料金を徴収する処理と、を行い、
前記一定時間は前記ガソリンスタンドにおいて通常の要件を済ませる為に通常必要な時間であり、該一定時間を超える場合には駐車料金を徴収して長時間駐車を防止すると共に、前記駐車料金の支払は前記ガソリンスタンドのカードの他、銀行系カード及び信販系カードの使用が可能であることを特徴とする駐車場充電システム。
【請求項２】
パーキングメータと電気自動車の充電機能を有する一体化装置を備えたガソリンスタンドに設置された駐車場充電システムであって、
駐車中に電気自動車に充電を行う手段と、
前記パーキングメータによって一定時間以上駐車した顧客に対して駐車料金を徴収する手段と、を備え、
前記一定時間は前記ガソリンスタンドにおいて通常の要件を済ませる為に通常必要な時間であり、該一定時間を超える場合には駐車料金を徴収して長時間駐車を防止すると共に、前記駐車料金の支払は前記ガソリンスタンドのカードの他、銀行系カード及び信販系カードの使用が可能であることを特徴とする駐車場充電システム。
【手続補正２】
【補正対象書類名】明細書
【補正対象項目名】００１０
【補正方法】変更
【補正の内容】
【００１０】
上記課題は本発明によれば、パーキングメータと電気自動車の充電機能を有する一体化装置を備えたガソリンスタンドに設置された駐車場充電システムであって、駐車中に電気自動車に充電を行う処理と、前記パーキングメータによって一定時間以上駐車した顧客に対して駐車料金を徴収する処理と、を行い、前記一定時間は前記ガソリンスタンドにおいて通常の要件を済ませる為に通常必要な時間であり、該一定時間を超える場合には駐車料金を徴収して長時間駐車を防止すると共に、前記駐車料金の支払は前記ガソリンスタンドのカードの他、銀行系カード及び信販系カードの使用が可能である駐車場充電システムを提供することによって達成できる。
【手続補正３】
【補正対象書類名】明細書
【補正対象項目名】００１１
【補正方法】変更
【補正の内容】
【００１１】
また、上記課題は本考案によれば、パーキングメータと電気自動車の充電機能を有する一体化装置を備えたガソリンスタンドに設置された駐車場充電システムであって、駐車中に電気自動車に充電を行う手段と、前記パーキングメータによって一定時間以上駐車した顧客に対して駐車料金を徴収する手段と、を備え、前記一定時間は前記ガソリンスタンドにおいて通常の要件を済ませる為に通常必要な時間であり、該一定時間を超える場合には駐車料金を徴収して長時間駐車を防止すると共に、前記駐車料金の支払は前記ガソリンスタンドのカードの他、銀行系カード及び信販系カードの使用が可能である駐車場充電システムを提供することによって達成できる。
【手続補正４】
【補正対象書類名】明細書
【補正対象項目名】００１２
【補正方法】削除
【補正の内容】
【手続補正書】
【提出日】令和3年2月2日(2021.2.2)
【手続補正１】
【補正対象書類名】明細書
【補正対象項目名】０００６
【補正方法】変更
【補正の内容】
【０００６】
本発明の画像形成装置は、ジョブを実行する実行手段と、前記実行手段により実行されるジョブの設定内容を呼び出すためのボタンを表示する第一の表示制御手段と、ユーザが設定した設定内容が対応付いており、当該設定内容でジョブを実行するためのカスタムボタンであって、ユーザの登録指示に応じて表示されるカスタムボタンを表示する第二の表示制御手段と、有し、前記第一の表示制御手段は、カスタムボタンの選択に基づき実行されるジョブの設定内容を呼び出すためのボタンを新たに表示し、当該ボタンには当該カスタムボタンの名称の少なくとも一部が表示される。
【手続補正２】
【補正対象書類名】特許請求の範囲
【補正対象項目名】全文
【補正方法】変更
【補正の内容】
【特許請求の範囲】
【請求項１】
画像形成装置であって、
ジョブを実行する実行手段と、
前記実行手段により実行されるジョブの設定内容を呼び出すためのボタンを表示する第一の表示制御手段と、
ユーザが設定した設定内容が対応付いており、当該設定内容でジョブを実行するためのカスタムボタンであって、ユーザの登録指示に応じて表示されるカスタムボタンを表示する第二の表示制御手段と、
を有し、
前記第一の表示制御手段は、カスタムボタンの選択に基づき実行されるジョブの設定内容を呼び出すためのボタンを新たに表示し、当該ボタンには当該カスタムボタンの名称の少なくとも一部が表示される
ことを特徴とする画像形成装置。
【請求項２】
前記第一の表示制御手段が表示するボタンと前記第二の表示制御手段が表示するカスタムボタンは操作画面の異なる領域に表示されることを特徴とする
請求項１に記載の画像形成装置。
【請求項３】
前記第一の表示制御手段は、
ジョブの設定内容の少なくとも一部をボタンに表示することを特徴とする
請求項１または２に記載の画像形成装置。
【請求項４】
前記第一の表示制御手段は、
前記カスタムボタンが選択され、前記カスタムボタンに対応する設定内容が変更されジョブが実行された場合当該変更された設定内容をボタンに表示することを特徴とする
請求項１から３のいずれか一項に記載の画像形成装置。
【請求項５】
前記第一の表示制御手段は、ジョブが実行された日時を表示することを特徴とする
請求項１から４のいずれか一項に記載の画像形成装置。
【請求項６】
前記画像形成装置は
デフォルトの設定値が紐付いたアプリケーションボタンであって、当該設定値で前記機能のジョブを実行するためのアプリケーションボタンを表示する第三の表示制御手段をさらに有し、
前記第一の表示制御手段は、前記アプリケーションボタンが選択されてジョブが実行された場合に表示するボタンと、前記カスタムボタンが選択されてジョブが実行された場合に表示するボタンとを識別可能なように表示することを特徴とする
請求項１から５のいずれか一項に記載の画像形成装置。
【請求項７】
前記第一の表示制御手段で表示されるボタンが選択されると、設定内容を反映した状態の設定画面が表示されることを特徴とする
請求項１から６のいずれか一項に記載の画像形成装置。
【請求項８】
前記第一の表示制御手段で表示されるボタンが選択されると、設定内容を反映した状態でジョブが実行されることを特徴とする
請求項１から７のいずれか一項に記載の画像形成装置。
【請求項９】
前記第一の表示制御手段で表示されるボタンは、ジョブが実行されるたびに、実行されたジョブに対応するボタンを時系列順に表示することを特徴とする
請求項１から８のいずれか一項に記載の画像形成装置。
【請求項１０】
前記実行手段によるジョブの実行に基づいて、当該ジョブの設定内容を記憶する記憶手段をさらに有することを特徴とする
請求項１から９のいずれか一項に記載の画像形成装置。
【請求項１１】
前記実行手段は、コピー、スキャン、プリントいずれかの機能のジョブを実行することを特徴とする
請求項１から１０のいずれか一項に記載の画像形成装置。
【請求項１２】
画像形成装置の制御方法であって、
ジョブを実行する実行工程と、
前記実行工程で実行されるジョブの設定内容を呼び出すためのボタンを表示する第一の表示制御工程と、
ユーザが設定した設定内容が対応付いており、当該設定内容でジョブを実行するためのカスタムボタンであって、ユーザの登録指示に応じて表示されるカスタムボタンを表示する第二の表示制御工程と、
を有し、
前記第一の表示制御工程では、カスタムボタンの選択に基づき実行されるジョブの設定内容を呼び出すためのボタンを新たに表示し、当該ボタンには前記カスタムボタンの名称の少なくとも一部が表示される
ことを特徴とする画像形成装置の制御方法。
【請求項１３】
画像形成装置の制御方法をコンピュータに実行させるプログラムであって、
前記制御方法は、
ジョブを実行する実行工程と、
前記実行工程で実行されるジョブの設定内容を呼び出すための設定内容を呼び出すためのボタンを表示する第一の表示制御工程と、
ユーザが設定した設定内容が対応付いており、当該設定内容でジョブを実行するためのカスタムボタンであって、ユーザの登録指示に応じて表示されるカスタムボタンを表示する第二の表示制御工程と、
を有し、
前記第一の表示制御工程では、カスタムボタンの選択に基づき実行されるジョブの設定内容を呼び出すためのボタンを新たに表示し、当該ボタンには前記カスタムボタンの名称の少なくとも一部が表示される
ことを特徴とするプログラム。